(57)【要約】【課題】  撮影時の状況をより鮮明に再生できる技術を提供する。【解決手段】  所定のフォーマットを用いてデジタルストリーム信号を記録するように構成された情報記録媒体において、前記情報記録媒体は管理領域とデータ領域を持ち、前記データ領域は前記デジタルストリーム信号のデータが複数のオブジェクトに分かれて記録できるように構成され、前記管理領域は所定の管理情報を記録できるように構成され、前記管理情報が、撮影時の位置情報とともに、前記位置情報に対応した付加情報を持つように構成された情報記録媒体。【選択図】      図１０
2009129511.tif 000002
【特許請求の範囲】
【請求項１】
所定のフォーマットを用いてデジタルストリーム信号を記録するように構成された情報記録媒体において、
前記情報記録媒体は管理領域とデータ領域を持ち、前記データ領域は前記デジタルストリーム信号のデータが複数のオブジェクトに分かれて記録できるように構成され、前記管理領域は所定の管理情報を記録できるように構成され、前記管理情報が、撮影時の位置情報とともに、前記位置情報に対応した付加情報を持つように構成された情報記録媒体。
【請求項２】
前記付加情報が、地名情報、歴史、名物、撮影時に開催されているイベント情報、撮影条件情報のいずれかを含むように構成された請求項１に記載の情報記録媒体。
【請求項３】
前記オブジェクトがＥＶＯＢに記録された場合、関連する前記管理情報は、ＥＸ＿Ｍ＿ＡＶＦＩＴに情報が追加されて構成された請求項１又は請求項２に記載の情報記録媒体。
【請求項４】
前記オブジェクトがＥＳＯＢに記録された場合、関連する前記管理情報は、ＥＳＴＲ＿ＦＩＴに情報が追加されて構成された請求項１又は請求項２に記載の情報記録媒体。
【請求項５】
前記オブジェクトに関連する前記管理情報は、ＰＧＩ若しくはＣＥＬＬ＿Ｉ内に保存されて構成された請求項１又は請求項２に記載の情報記録媒体。
【請求項６】
所定のフォーマットを用いてデジタルストリーム信号を記録するものであって、管理領域とデータ領域を持ち、前記データ領域は前記デジタルストリーム信号のデータが複数のオブジェクトに分かれて記録できるように構成され、前記管理領域は所定の管理情報を記録できるように構成され、前記管理情報が、撮影時の位置情報とともに、前記位置情報に対応した付加情報を持つように構成された情報記録媒体を用いる方法において、
前記データ領域に前記デジタルストリーム信号を記録し、
前記管理領域に前記管理情報を記録する記録方法。
【請求項７】
所定のフォーマットを用いてデジタルストリーム信号を記録するものであって、管理領域とデータ領域を持ち、前記データ領域には前記デジタルストリーム信号のデータが複数のオブジェクトに分かれて記録され、前記管理領域には所定の管理情報が記録され、前記管理情報が、撮影時の位置情報とともに、前記位置情報に対応した付加情報を持つ情報記録媒体を用いる方法において、
前記管理領域から前記管理情報を読み取り、
前記データ領域から前記デジタルストリーム信号を再生する再生方法。
【請求項８】
所定のフォーマットを用いてデジタルストリーム信号を記録するものであって、管理領域とデータ領域を持ち、前記データ領域には前記デジタルストリーム信号のデータが複数のオブジェクトに分かれて記録され、前記管理領域には所定の管理情報が記録され、前記管理情報が、撮影時の位置情報とともに、前記位置情報に対応した付加情報を持つ情報記録媒体を用いる方法において、
前記管理領域から前記管理情報を読み取り、
前記管理情報が前記位置情報に対応した付加情報を含む場合に、この付加情報の表示設定を行う再生方法。
【発明の詳細な説明】
【技術分野】
【０００１】
本発明は、ＡＶコンテンツ等のデジタルストリーム信号を記録再生する際に用いられる規格の改良に関する。
【背景技術】
【０００２】
現在、ビデオカメラはＨＤＤ付きＤＶＤカメラが一般的になり、ＨＤ化が進み、軽量、高画質化の方向に発展してきている。一方、携帯電話は、カメラ機能を内蔵し、さらに、インターネット機能、１セグチューナー内蔵と多機能化している。さらに、ＧＰＳ機能がついたものも販売されている。
【０００３】
しかしながら、現在、ネットワーク機能とビデオカメラ機能をリンクして、動作させる機器はあまり知られていない。例えば特許文献１に記載されているものは、映像記録装置に、ＧＰＳなどの位置情報取得部を設けて、位置情報と通信により付加情報を取得して、情報管理部に記録し、またＧＰＳのデータを送って送信先のコンピュータで位置を算出して、その関連情報を入手するようにするというものである。しかしながら、付加情報は撮影時の状況を鮮明に再生できるものではないという問題があった。
【特許文献１】特開２００５−５１２７８号公報
【発明の開示】
【発明が解決しようとする課題】
【０００４】
本発明は、撮影時の状況をより鮮明に再生できる技術を提供することを目的とする。
【課題を解決するための手段】
【０００５】
上記課題を解決するために、本発明の請求項１の情報記録媒体は、所定のフォーマットを用いてデジタルストリーム信号を記録するように構成された情報記録媒体において、前記情報記録媒体は管理領域とデータ領域を持ち、前記データ領域は前記デジタルストリーム信号のデータが複数のオブジェクトに分かれて記録できるように構成され、前記管理領域は所定の管理情報を記録できるように構成され、前記管理情報が、撮影時の位置情報とともに、前記位置情報に対応した付加情報を持つように構成されたことを特徴とする。
【発明の効果】
【０００６】
本発明によれば、撮影時の状況をより鮮明に再生できる技術が得られる。
【発明を実施するための最良の形態】
【０００７】
本発明による実施形態を図１乃至図１３を参照して説明する。
まずＤＶＤディスクでは、ディスク内のデータは、ファイルシステムが入っているボリューム／ファイル構造情報領域とデータファイルを実際に記録するデータ領域で構成されている。
【０００８】
ファイルシステムは、どのファイルがどこに記録されているかを示す情報で構成されている。データ領域には一般のコンピュータが記録する領域とＡＶデータを記録する領域にわけられる。ＡＶデータ記録領域は、ＡＶデータの管理をするためのＶＭＧファイルがあるＡＶデータ管理情報領域とビデオレコーディング規格のオブジェクトデータ（ＥＶＯＢＳ）ファイル（ＶＲＯファイル）の記録されるＶＲオブジェクト群記録領域とデジタル放送に対応したオブジェクト（ＥＳＯＢＳ： Stream object set）が記録されているＳｒｅａｍオブジェクトデータ（ＥＳＯＢＳ）ファイル（ＳＲＯファイル）が記録される記録領域で構成されている。
【０００９】
ここで、DVD-Video（ROM  Video）はVIDEO-TS、DVD-RTR（録再ＤＶＤ）はDVD-RTAVとフォーマット毎にディレクトリをわけており、今回のデジタル放送対応のＤＶＤ規格も例えばDVD_HDVRというディレクトリに記録される。
【００１０】
図１は、この発明の一実施の形態に係るファイル構造を説明する図である。
図１に示すように、DVD_HDVRというディレクトリに、データの管理を行うためのＶＭＧファイルを置き、その下にHDVR_VOBディレクトリにアナログ放送及びラインインなどのアナロク記録用のオブジェクトファイルであるＶＲＯとＶＯＢ用のＴＭＡＰファイルを置き、HDVR_SOBディレクトリにデジタル放送のオブジェクトであるＳＲＯファイルとＳＯＢ用の管理情報ファイル及びＳＯＢ用のＴＭＡＰファイルが記録され、そのＳＲＯファイルはＳＯＢＳ(Stream object Set)とし、管理データはＶＲと共通のＶＭＧファイルに記録され、ＶＲと共通に制御され、ＣＥＬＬ単位でリンクされ、再生場所の指定は再生時間単位で指定される。
【００１１】
この管理データはHR_MANEGER.IFOと称し、ＴＭＡＰファイルは夫々、HR_Vmmmm.MAP、Snn_mmmm.MAPとそのバックアップファイルであるHR_MANEGER.BUP、 HR_Vmmmm.BUP、Snn_mmmm.BUPが追加されている。
【００１２】
ここで、管理情報について説明する。ＨＤＶＲディレクトリには、ＤＶＤの管理情報ファイルであるＨＲ＿ＭＡＮＧＥＲ．ＩＦＯとアナログビデオオブジェクトファイルであるＶＲＯファイルとデジタル放送対応用のＳＲＯファイルで構成されている。
【００１３】
ストリームの管理情報はＥＳＴＲ＿ＦＩＴ（ Stream File Information table）に保存されている。
ＥＳＴＲ＿ＦＩＴはＥＳＴＲ＿ＦＩ＿ＳＲＰＴと各ＥＳＴＲ＿ＦＩとＳＴＭＡＰＩＴで構成され、ＥＳＴＲ＿ＦＩ＿ＳＲＰＴは、ＥＳＴＲ＿ＦＩＴＩ（ＥＳＴＲ＿ＦＩＴ Information）と１以上のＥＳＴＲ＿ＦＩ＿ＳＲＰで構成される。
【００１４】
ＥＳＴＲ＿ＦＩＴＩは、ＥＳＴＲ＿ＦＩの総数と本テーブルの終了アドレスで構成され、ＥＳＴＲ＿ＦＩ＿ＳＲＰは、ESTR_FI_FN（ESTR_FI_file_name）とESTR_FIファイルの編集更新時間（ESTR_FI_LAST_MOD_TM）とAP_FORMAT1（放送方式：Majorな括り：Japan_ISDB、ATSC、EU_DVB等）と録画した国コード：Country code（国コード：JPN＝日本）、PKT_TY（1=MPEG-TS）、ESOBI_Ns（ＳＯＢの数：ＥＳＯＢの数またはＡＴ＿ＳＯＢの数）ESTR_FIファイルのサイズとＳＴＭＡＰの合計サイズで構成されている。特にTOTAL_STMAP_SZは最大2MB以下と言う制限を規格で設けているため、それを超えないよう、ファイルサイズを確認する必要がある。ここで２ＭＢはＭＰＵのワークＲＡＭにＳＴＭＡＰを最大２ＭＢ以内で展開可能な様に構成する必要が有る。そのため、LOTAL_STMAPI_SZでTMAPのサイズを確認することが可能となる。
【００１５】
ＥＳＴＲ＿ＦＩは、ＥＳＴＲ＿ＦＩ_ＧＩ（General Information）、1以上のＥＳＯＢＩ＿ＳＲＰ（ Stream Object information Search Pointer）とＳＲＰと同数でその値で示されるＥＳＯＢＩ（ESOB Information）で構成される。
【００１６】
ESTR_FI_GIには、本ESTR_FIの管理するオブジェクトのファイル名/ファイル番号（SFI_ID）と本ESTR_FI内のESOBI_SRPの数、本ファイルのVersion番号、PKT_TY（1=MPEG-TS）、PKT_GP_SZ（パケットグループのサイズ：16Logical  Blockで固定）、PKT_Ns（パケットグループ内のTSパケットの数：0xAA：170TSpacketで固定）、STMAPの更新時間、STMAPのサイズ等で構成されている。
【００１７】
ＥＳＯＢＩは、ＥＳＯＢＩ＿ＧＩと、ＥＳＯＢ＿Ｖ＿ＥＳＩ（ Video  Elementary  Information）又は、且つ、ＥＳＯＢ＿Ａ＿ＥＳＩ（ Audio  Elementary  Information）、ＥＳＯＢ＿ＯＴＨＥＲ＿ＥＳＩ（Other  Elementary  Information）と、ＥＳＯＢ＿ＤＣＮＩ（Discontinue  Information）と、ＥＳＯＢ＿ＣＯＮＮＩと、ＥＳＯＢ＿ＴＭＡＰ（Time  Map）とで構成されている。
【００１８】
EX_M_AVFITには、EX_M_AVFIが存在し、その中に各ＥＶＯＢ毎の管理情報であるＥＶＯＢＩがＥＶＯＢの数分存在している。ＥＶＯＢＩ内には、ＥＶＯＢのＴＭＡＰを管理するためのEVOB_TMAPIが存在し、EVOB_TMAPIには、EVOB_TMAP_GIが入っている。EVOB_TMAP_GIは別ファイルのVTMAPTを管理するための一般情報が記録されている。EVOB_TMAP_GIには、本ＥＶＯＢにあるＥＮＴＲＹ(EVOBU_ENT)の総数（EVOBU_ENT_Ns）、本ＥＶＯＢの先頭アドレス（ADR_OFS）、本ＥＶＯＢのＥＮＴＲＹの時間間隔を決めるEVOBU_PB_TM_RNG、VTMAPファイル内でのTMAPの番号（EX_VTMAP_N：ＥＶＯＢの先頭から一対一で決まる場合、無い事も考えられる。）、本ＥＶＯＢのサイズ(EVOB_SZ)で構成されている。前記EVOB_TMAP_GIはTMAPが別ファイルに分かれたため、そのファイルを読み出さなくても、ＥＶＯＢの情報が解る様になっている。特に、先頭のアドレス（ADR_OFS）とEVOB_SZ,EVOBU_ENT_Nsは読み出す前にディスクの何処から、どのくらいの容量読み出すか、ワークＲＡＭをどのくらい確保すべきかなどをＴＭＡＰを読み込む前に知る事により読み出し準備が楽になる。
【００１９】
ここで、ビデオカメラとして、ＨＤ  ＤＶＤディスクを使用する場合、ＥＶＯＢとして記録する方法と、ＥＳＯＢとして記録する方法の２種類が考えられる。ＥＶＯＢで記録した場合は、ディスク内の容量がＥＳＯＢに比べ、効率が良く、ＥＳＯＢで記録した場合、ＭＰＥＧ−ＴＳフォーマットのため、同じＴＳフォーマットであるため、他のフォーマットへの変換が容易に行われる。
【００２０】
そこで、ＥＶＯＢに記録した場合は、図２（ａ）に示すようにＥＸ＿Ｍ＿ＡＶＦＩＴに情報が追加される。
Country_Codeは、撮影場所の国コードでディスクで共通にする場合は、EX_M_AVFI_GIに設定すことが考えられ、ＥＶＯＢごとに変える場合は、M_VOBIに設定することが考えられる。
【００２１】
また、位置情報として緯度、経度の情報を、さらに、ホストから受け取る付加情報も、M_VOBIに設定されることが考えられる。ここで、付加情報は、地名情報、歴史、名物、撮影時に開催されているイベント情報などが考えられ、それらがテキスト情報として設定される。
【００２２】
さらに、広義の付加情報の一部としてカメラの撮影時の情報なども、M_VOBIに設定される。ここで、撮影時条件情報としては、シャッタースピード、ホワイトバランス、焦点距離などが考えられる。
【００２３】
また、撮影条件情報は、ＥＶＯＢの属性情報であるEX_M_VOB_STIに設定されることも考えられる。
次に、ＥＳＯＢに記録した場合は、図３（ｂ）に示すようにＥＳＴＲ＿ＦＩＴに情報が追加される。
位置情報として緯度、経度の情報やホストから受け取る付加情報は、ESOBI_GIに設定されることが考えられる。さらに、撮影時条件情報もESOBI_GIに設定されることが考えられる。また、撮影条件情報、位置情報、付加情報等を、再生情報であるＰＧＩ若しくはＣＥＬＬ＿Ｉ内に保存することも考えられる（図４参照）。
【００２４】
本実施例の動作説明を以下に示す。
まず本実施例の録再装置は図５のように、ＭＰＵ部１１、表示部１２、デコーダ部１３、エンコーダ部１４、ＴＶチューナー部、ＳＴＣ部（System  Time  Counter）１６、Ｄ−ＰＲＯ部１７、一時記憶部１８、ディスクドライブ部１９、キー入力部２０、Ｖミキシング部２１、フレームメモリ部２２、ＴＶ用Ｄ／Ａ部２３と、地上波デジタルチューナー部と、1394Ｉ／Ｆ部、インターネットＩ／Ｆ部２６、リモコン受信部と、さらに、ＧＰＳ部（Global Positioning System）２８、ＨＤＤ部２９により構成されている。
【００２５】
エンコーダ部内には、Ａ／Ｄ部、ビデオエンコード部、オーディオエンコード部、ＳＰエンコード部、フォーマット部、バッファメモリ部より構成され、デコード部は、分離部、ビデオデコード部、ＳＰデコード部、オーディオデコード部、ＴＳパケット転送部、Ｖ−ＰＲＯ部、オーディオ用Ｄ／Ａ部より構成されている。ただし、ＳＴＣ部は２７ＭＨｚベースでカウントする。
【００２６】
記録時の信号の流れは、ＣＣＤやマイクから入力された信号をＡ／Ｄ部でデジタル変換され、そのデジタル信号を各エンコーダ部へ入力される。ビデオ信号はビデオエンコード部へ、オーディオ信号はオーディオエンコード部へされ、ビデオ信号はＭＰＥＧ圧縮され、オーディオ信号はＡＣ３圧縮またはＭＰＥＧオーディオ圧縮がなされる。
【００２７】
各エンコーダ部からの圧縮データは、ＰＳ（Ｐｒｏｇｒａｍ  ｓｔｒｅａｍ：ＥＶＯＢの場合）の場合は、パック化された場合に2048バイトになるようにパケット化されて、また、ＴＳ（Ｔｒａｎｓｐｏｒｔ  ｓｔｒｅａｍ：ＥＳＯＢの場合）は188バイトのＴＳパケットにパケット化され、フォーマッタ部へ入力される。フォーマッタ部では、ＰＳの場合は各パケットがパック化され、さらに、プログラムストリームとして、多重化され、ＴＳの場合は、１７０パケットを１パケットグループとして、パケットグループ化して、Ｄ−ＰＲＯ部へ送られる。
【００２８】
Ｄ−ＰＲＯ部では、１６Logical  Bock毎にECCブロックを形成し、エラー訂正データを付け、ドライブ部によりディスクに記録される。
ここで、ドライブ部がシーク中やトラックジャンプなどの場合のため、ビジィー状態の場合には、一時記憶部へ入れられ、ＨＤ  ＤＶＤドライブ部の準備ができるまで待つこととなる。
【００２９】
さらに、フォーマッタ部では、録画中、各切り分け情報を作成し、定期的にＭＰＵ部へ送る。（ＧＯＰ先頭割り込みなど）
切り分け情報としては、ＥＶＯＢＵ（ＥＳＯＢＵ）のパック数、ＥＶＯＢＵ（ＥＳＯＢＵ）先頭からのRef_ピクチャ（Iピクチャ）のエンドアドレス、ＥＶＯＢＵ（ＥＳＯＢＵ）の再生時間などである。
【００３０】
また、再生時の記録の流れは、ディスクからドライブ部よりデータを読み出し、Ｄ−ＰＲＯ部でエラー訂正を行い、デコード部へ入力される。ＭＰＵ部は入力されるデータがＶＲデータか、ＳＲデータかの種別を判定し（Ｃｅｌｌ  ＴＹＰＥより判定する）、デコーダ部に再生前にその種別を設定する。ＳＲデータの場合、ＭＰＵ部は再生するＣＥＬＬＩより、再生するＰＭＴ＿ＰＩＤを決め、該当するＰＭＴより、再生する各アイテム（ビデオ、オーディオ等）のＰＩＤを決め、デコーダ部へ設定する。デコーダ部は、そのＰＩＤを元に、分離部で各ＴＳパケットを各デコード部へ送る。各デコード部は、デコードを行い、Ｄ／Ａ部でアナログ信号に変換し、ＴＶで表示する。
【００３１】
ＶＲデータの場合、分離部は、固定のＩＤに従い、各デコード部へ送る。各デコード部は、デコードを行い、Ｄ／Ａ部でアナログ信号に変換し、ＴＶで表示する。
また、撮影時、撮影位置情報をＧＰＳ部より取り込み、その値（緯度、経度）により、インターネットＩ／Ｆ部を通して、外部ＰＣ（サーバー）に接続し、前記位置情報より、地域付加情報を検索、取り込みを行い、その情報を管理情報に書き込む。これらの情報はメニュー表示などのときに使用する。
【００３２】
ただし、撮影位置情報を検出する方法はＧＰＳを利用した方法だけでなく、ＰＨＳなどの基地局を利用した方法（複数の基地局からの距離情報により検出する。）、基準点からのジャイロコンパスを利用した方法などさまざま考えられる。
【００３３】
本願の動作を動作フローに従って説明する。ここで、図６−７に示すように、録画時（撮影時）に、地域付加情報を取り込み、管理情報に記録される。（図８）
図６はＶＯＢ記録の場合の録画フローである。まずファイルシステムデータの読み込みを行う（ステップＳ６１）。次に空き容量はあるか判定し（ステップＳ６２）、無ければ"録画スペースがありません"という表示をして終了するが（ステップＳ６３）、あれば次に録画前処理として管理領域書き込み（ＶＭＧの作成）等を行う（ステップＳ６４）。次に録画用初期設定として、ＳＴＣ部をリセット、ドライブ部へ書き込み開始アドレス、書き込み命令設定、エンコーダ部に所定のコーデックでエンコード命令、エンコーダ部のフォーマッタ部へ初期設定（CELL.VOBU,PG,PGC区切りの設定）を行う（ステップＳ６５）。次に録画開始設定、エンコーダ部へ録画開始命令設定、切り分け情報をVOBとして登録といった処理を行う（ステップＳ６６）。
【００３４】
1CDA分記録データがバッファメモリ内にたまったか待ち（ステップＳ６７）、書き込みアドレス、書き込み長を決定し、書き込み命令発行を行う（ステップＳ６８）。
【００３５】
次に切り分け情報1取り込み割り込みありかを判定し（ステップＳ６９）、ありの判定ならばフォーマッタ部より切り分け情報を取り込む（ステップＳ６９ａ）。判定によらず次に1CDA分記録データはバッファメモリ内にたまったか判定し（ステップＳ６９ｂ）、ＹＥＳなら1CDA分のデータをディスクに書き込む（ステップＳ６９ｃ）。次に録画終了キー入力か判定し（ステップＳ６９ｄ）ＮＯならばステップＳ６９からの処理を繰り返し、ＹＥＳなら最後に録画終了処理（フォーマッタ部より残り切り分け情報の取り込み＆初期化、管理領域の書き込み、ＶＭＧへの書き込み（ＰＧＣＩ設定：切り分け情報、ＩPIC情報等）、撮影条件情報の保存、付加情報取り込み処理）を行う（ステップＳ７０）。
【００３６】
図７はＳＯＢ記録の場合の録画フローである。まず録画前処理として各管理領域書き込み（ＶＭＧの作成）等を行う（ステップＳ７１）。次にTYPE  Aの管理情報を作成する様に設定する（ステップＳ７２）。次に録画用初期設定として、ＳＴＣ部をリセット、各ドライブ部へ書き込み開始アドレス、書き込み命令設定、エンコーダ部に所定のコーデックでエンコード命令、エンコーダ部のフォーマッタ部へ初期設定（CELL.ESOBU,PG,Packet Group区切りの設定etc）を行う（ステップＳ７３）。次に録画開始設定、エンコーダ部へ録画開始命令設定といった処理を行う（ステップＳ７４）。
【００３７】
次に挿入するPAT、PMT、ＳＩＴの内容を決定し、ワークに保存し、エンコード時に挿入する（ステップＳ７５）。次に記録するストリーム数分のESIを作成する（ステップＳ７６）。バッファ取り込み処理（ステップＳ７７）を継続して記録データがバッファメモリ内に一定量たまったか待つ（ステップＳ７８）。
【００３８】
次にドライブ部の書き込みアドレス、書き込み長を決定し、書き込み命令を発行する（ステップＳ７９）。切り分け情報取り込み割り込みありかを判定し（ステップＳ７９ａ）、ありの判定ならばフォーマッタ部より切り分け情報を取り込む（ステップＳ７９ｂ）。判定によらず次にESOBを切るか判定し（ステップＳ７９ｃ）、ＹＥＳならESOB切り処理を行う（ステップＳ７９ｄ）。次に録画終了キー入力か判定し（ステップＳ７９ｅ）ＮＯならばステップＳ７９からの処理を繰り返し、ＹＥＳなら最後に録画終了処理（フォーマッタ部より残り切り分け情報の取り込み＆初期化、ＶＭＧへの書き込み（EPGCI作成、STR_FI作成：切り分け情報、ＩPIC情報等）、デフォルトPIDのストリームの再生時間をESOB_DURATIONに設定、撮影条件情報の保存、付加情報取り込み処理を行う（ステップＳ８０）。
【００３９】
図８は付加情報取り込みフローである。まずＧＰＳ部より、現在位置情報を取得する（ステップＳ８１）。次にネットワークの確認をする（ステップＳ８２）。
ここでネットワーク網に接続可能か判定し（ステップＳ８３）、不可能ならば後ほど、行うため、ＧＰＳ情報と国コードのみ管理情報ファイルに保存をして終了するが（ステップＳ８３ｂ）、あれば次に目的の検索ＨＰに接続を行う（ステップＳ８４）。次に認証を行う（ステップＳ８５）。このときホスト側では、認証を確認し、ユーザーを特定する。
【００４０】
次に位置情報（緯度、経度）の送信処理を行う（ステップＳ８６）。このときホスト側では、位置情報（緯度、経度）を受信し、続いて位置情報がデータベース内の情報内の位置情報の範囲内に入っている地域があるか検索し、該当地域が無い場合：00、該当いい気がある場合：接続付加情報を送信する。この送信を受けて接続付加情報を取得する（ステップＳ８７）。
【００４１】
次に該当地域があるか判定し（ステップＳ８８）ありの判定ならば付加情報を位置情報と共に管理情報ファイルに保存をし（ステップＳ８９）、なしの判定なら位置情報のみ管理情報ファイルに保存する（ステップＳ８９ａ）。
【００４２】
結局、概要として次のような処理の流れとなる。
1）        ＧＰＳ部より、現在の位置情報を取得する。
2）        ネットワークが接続されているかを確認し、接続状態の場合は目的のＰＣ（サーバー）に接続し、認証を行い、位置情報を外部ＰＣへ送信する。接続状態に無い場合は6）へ移行する。
【００４３】
3）        外部ＰＣでは、認証を確認し、位置情報を受け取る。
4）        受け取った位置情報で図１２に示すようなデータベース検索し、一致する地域を検出し、ある場合は、その登録してあるデータをレコーダへ送信する。無い場合は、その旨をレコーダへ送信する。
【００４４】
5）        レコーダは、地域付加情報を受け取り、地域付加情報がある場合は管理情報へ書き込む。地域付加情報が無い場合は撮影位置情報のみを管理情報に書きこみ、それ以外の付加情報の領域には0を設定して、本処理を終了する。
【００４５】
6）        接続が回復した後に、もう一度、本処理を行うため、撮影位置情報のみを管理情報に書きこみ、それ以外の付加情報の領域には0を設定して、本処理を終了する。
【００４６】
ネットワークへの接続が出来ない場合は、接続が回復後、本処理を後日行う。
さらに、録画時に、撮影条件情報を記録する動作を説明する（図１３）。
1）        カメラ部より、条件データを読み込むためのコマンドを送信し（ステップＳ１３１）次に、データを受信する（ステップＳ１３２）。
2）        そのデータを管理ファイルに書き込む（ステップＳ１３３）。
また、本データを利用して、よりビジュアルに優れたメニュー（図９）を作成可能となる。
1）        国コードにより、表示するメニューを選択する。このとき、地図表示のメニューの場合は国コードに対応した地図を（日本の場合は日本地図、米国の場合は、米国の地図）表示する（図１０）。また、年表表示の場合は、その国にあった年号で表示（日本の場合は、平成、昭和・・・、米国の場合は西暦）で表示する（図１１）。また、メニューをこの組み合わせで行うことも考えられる。
【００４７】
2）        撮影情報のある場所（年号）のところに、マーカーを表示する（ステップＳ９１）。
3）        カーソルを表示し、そのカーソルのあるマーカーのところの地域付加情報を表示領域に表示する（ステップＳ９２）。
4）        カーソルで選択されたタイトルをユーザーが選択した（ステップＳ９３）場合はそのタイトルを再生する（ステップＳ９４）。
以上の実施形態により、ネットワークに対応したカメラシステムが実現できる。ネットワーク機能とビデオカメラ機能をリンクし、記録可能なシステムを提示するものである。録画時に付加情報を記録することにより、再生時に、撮影時の状況をより、鮮明に感じることが可能となる。
【００４８】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４９】
【図１】この発明の一実施の形態に係るファイル構造を説明する図。
【図２】同実施形態のビデオをＥＶＯＢに記録する場合の構成図。
【図３】同実施形態のビデオをＥＳＯＢに記録する場合の構成図。
【図４】同実施形態の管理情報をＰＧＩに記録する場合の構成図。
【図５】同実施形態に用いられる録再装置の構成図。
【図６】同実施形態のＶＯＢ記録の場合の録画フロー。
【図７】同実施形態のＳＯＢ記録の場合の録画フロー。
【図８】同実施形態の付加情報取り込みフロー。
【図９】同実施形態のメニュー表示フロー。
【図１０】同実施形態のメニュー表示例１。
【図１１】同実施形態のメニュー表示例２。
【図１２】対応するサーバー内での付加情報の保存例。
【図１３】撮影条件情報の保存フロー。
【符号の説明】
【００５０】
１１…ＭＰＵ部、１２…表示部、１３…デコーダ部、１４…エンコーダ部、１６…ＳＴＣ部（System  Time  Counter）、１７…Ｄ−ＰＲＯ部、１８…一時記憶部、１９…ディスクドライブ部、２０…キー入力部、２１…Ｖミキシング部、２２…フレームメモリ部、２３…ＴＶ用Ｄ／Ａ部、２６…インターネットＩ／Ｆ部、２８…ＧＰＳ部（Global Positioning System）、２９…ＨＤＤ部。
【図１】
2009129511.tif 000003
【図２】
2009129511.tif 000004
【図３】
2009129511.tif 000005
【図４】
2009129511.tif 000006
【図５】
2009129511.tif 000007
【図６】
2009129511.tif 000008
【図７】
2009129511.tif 000009
【図８】
2009129511.tif 000010
【図９】
2009129511.tif 000011
【図１０】
2009129511.tif 000012
【図１１】
2009129511.tif 000013
【図１２】
2009129511.tif 000014
【図１３】
2009129511.tif 000015